(57)【要約】  通行頻度の高い利用者の利便性を向上することができる入退室システムを提供する。このため、入退室システムは、識別体から識別情報を読み取る読み取り部と、識別情報毎に異なる確定時間を記憶した記憶部と、前記読み取り部が識別体から読み取った識別情報に対応した確定時間継続して前記読み取り部が当該識別情報を読み取り続けた場合に、当該識別体を認証する認証部と、を備えた。当該構成により、通行頻度の高い利用者の利便性を向上することができる。
2014006752.tif 000002
【特許請求の範囲】
【請求項１】
識別体から識別情報を読み取る読み取り部と、
識別情報毎に異なる確定時間を記憶した記憶部と、
前記読み取り部が識別体から読み取った識別情報に対応した確定時間継続して前記読み取り部が当該識別情報を読み取り続けた場合に、当該識別体を認証する認証部と、
を備えたことを特徴とする入退室システム。
【請求項２】
識別体が認証された際に、当該識別体に対応した識別情報の確定時間の値を減らす算出部、
を備えたことを特徴とする請求項１記載の入退室システム。
【請求項３】
前記算出部は、指定時間認証されなかった識別体に対応した識別情報の確定時間の値を増やすことを特徴とする請求項２記載の入退室システム。
【請求項４】
前記算出部は、識別体が認証された際に、当該識別体に対応した識別情報の通行頻度の値を増やすことを特徴とする請求項２又は請求項３に記載の入退室システム。
【請求項５】
前記算出部は、指定時間認証されなかった識別体に対応した識別情報の通行頻度の値を減らすことを特徴とする請求項４に記載の入退室システム。
【発明の詳細な説明】
【技術分野】
【０００１】
この発明は、入退室システムに関するものである。
【背景技術】
【０００２】
一定時間継続して同一の識別体を読み取ることを認証の条件とする入退室システムが提案されている。当該入退室システムによれば、一定時間よりも短い時間だけ滞留した識別体が認証されることを防止できる（例えば、特許文献１参照）。
【先行技術文献】
【特許文献】
【０００３】
【特許文献１】日本特開平１０−２８０７５６号公報
【発明の概要】
【発明が解決しようとする課題】
【０００４】
しかしながら、特許文献１記載のものにおいては、識別体を認証するためには、一定時間が常に必要となる。このため、通行頻度の高い利用者の認証にも、一定時間が必要となる。【０００５】
この発明は、上述の課題を解決するためになされたもので、その目的は、通行頻度の高い利用者の利便性を向上することができる入退室システムを提供することである。
【課題を解決するための手段】
【０００６】
この発明に係る入退室システムは、識別体から識別情報を読み取る読み取り部と、識別情報毎に異なる確定時間を記憶した記憶部と、前記読み取り部が識別体から読み取った識別情報に対応した確定時間継続して前記読み取り部が当該識別情報を読み取り続けた場合に、当該識別体を認証する認証部と、を備えたものである。
【発明の効果】
【０００７】
この発明によれば、通行頻度の高い利用者の利便性を向上することができる。
【図面の簡単な説明】
【０００８】
【図１】この発明の実施の形態１における入退室システムのブロック図である。
【図２】この発明の実施の形態１における入退室システムの一時記憶部に記憶されるデータを説明するための図である。
【図３】この発明の実施の形態１における入退室システムによる認証方法を説明するための図である。
【図４】この発明の実施の形態１における入退室システムの処理を説明するためのフローチャートである。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１における入退室システムのブロック図である。
【００１１】
図１のＲＦＩＤタグ１は、利用者に所持される。ＲＦＩＤタグ１は、識別体として、利用者毎に異なるＲＦＩＤ情報（識別情報）を記憶する。ＲＦＩＤタグ１には、ボタン２が設けられる。
【００１２】
ハンズフリーの入退室管理システムは、ＲＦＩＤ読み取り部３、表示部４、ＲＦＩＤ登録情報記憶部５、ＲＦＩＤ認証部６を備える。
【００１３】
ＲＦＩＤ読み取り部３は、入退室を管理する各区画の扉近傍に設けられる。ＲＦＩＤ読み取り部３は、半径２ｍ程度の読み取り範囲内にあるＲＦＩＤタグ１からＲＦＩＤ情報を読み取る機能を備える。
【００１４】
表示部４は、管理室内に設けられる。表示部４は、管理者用のＰＣ等からなる。表示部４は、入退室管理システムの各種情報を表示する機能を備える。
【００１５】
ＲＦＩＤ登録情報記憶部５は、個人毎確定時間記録部５ａ、個人毎通行頻度記録部５ｂを備える。
【００１６】
個人毎確定時間記録部５ａは、各区画の認証意思があるとみなされるまでの確定時間をＲＦＩＤ情報のＩＤ毎に記録する機能を備える。個人毎通行頻度記録部５ｂは、各区画の通行頻度をＲＦＩＤ情報のＩＤ毎に記録する機能を備える。
【００１７】
ＲＦＩＤ認証部６は、一時記憶部６ａ、認証判定部６ｂ、確定時間算出部６ｃを備える。
【００１８】
一時記憶部６ａは、各区画の確定時間と通行頻度とをＲＦＩＤ情報のＩＤ毎に一時的に記憶する機能を備える。認証判定部６ｂは、ＲＦＩＤ読み取り部３に読み取られたＲＦＩＤ情報のＩＤに対し、一時記憶部６ａに記録された確定時間に基づいて、認証するか否かを判定する機能を備える。認証判定部６ｂは、認証結果を表示部４に通知する機能を備える。確定時間算出部６ｃは、ＲＦＩＤ情報のＩＤが認証された際に、当該ＩＤに関し、個人毎確定時間記録部５ａの確定時間と個人毎通行頻度記録部５ｂの通行頻度とを更新する機能を備える。
【００１９】
次に、図２を用いて、一時記憶部６ａに記憶されるデータを説明する。
図２はこの発明の実施の形態１における入退室システムの一時記憶部６ａに記憶されるデータを説明するための図である。
【００２０】
図２に示すように、一時記憶部６ａには、ＲＦＩＤ情報のＩＤ毎に区画、確定時間、通行頻度が対応付けて記憶される。区画は、各区画の扉に対応する。確定時間は、０．０秒〜１０．０秒の間で設定される。例えば、確定時間の初期値は、５．０秒である。通行頻度は、０〜１００の間で設定される。例えば、通行頻度の初期値は、５０である。
【００２１】
次に、図３を用いて、入退室システムによる認証方法を説明する。
図３はこの発明の実施の形態１における入退室システムによる認証方法を説明するための図である。
【００２２】
図３に示すように、部屋７には、第１区画８が設けられる。第１区画８において、ＲＦＩＤタグＡが読み取り部３のタグ検出範囲９内に侵入すると、ＲＦＩＤ読み取り部３は、ＲＦＩＤタグＡからＲＦＩＤ情報を読み取る。次に、認証判定部６ｂは、当該ＲＦＩＤ情報のＩＤに対応したデータが一時記憶部６ａに記憶されているか否かを判定する。
【００２３】
当該ＲＦＩＤ情報のＩＤに対応したデータが一時記憶部６ａにない場合、認証判定部６ｂは、当該ＲＦＩＤ情報のＩＤに対応したデータの事前認証処理を開始する。具体的には、認証判定部６ｂは、当該ＲＦＩＤ情報のＩＤに対応したデータがＲＦＩＤ登録情報記憶部５にあるか否かを判定する。
【００２４】
当該ＲＦＩＤ情報のＩＤに対応したデータがＲＦＩＤ登録情報記憶部５にある場合、認証判定部６ｂは、タグＡを事前認証する。この場合、認証判定部６ｂは、当該ＲＦＩＤ情報のＩＤに対応したデータを一時記憶部６ａに記録する。その後、読み取り部３が当該データに対応した確定時間継続して当該ＲＦＩＤ情報を読み取り続けた場合に、認証判定部６ｂは、タグＡを最終的に認証する。
【００２５】
タグＡが最終的に認証されない場合、確定時間算出部６ｃは、確定時間と通行頻度とを更新しない。すなわち、確定時間は、５．０秒に維持される。タグＡが最終的に認証された場合、確定時間算出部６ｃは、確定時間と通行頻度を更新する。例えば、確定時間は、初期値の５．０秒から４．９秒に更新される。通行頻度は、初期値の５０から５１に更新される。すなわち、通行頻度の「１」は、確定時間の「１００ｍｓ」に対応する。
【００２６】
認証判定部６ｂは、一定時間（例えば、数１００ｍｓ程度）に一回、一時記憶部６ａをチェックする。この際、認証判定部６ｂは、更新がないデータを一時記憶部６ａから削除する。
【００２７】
確定時間と通行頻度が１日に１回も更新されない場合、当該ＩＤの確定時間は、０．１秒だけ増える。当該ＩＤの通行頻度は、１だけ減る。
【００２８】
次に、入退室管理システムの具体的な処理を説明する。
図４はこの発明の実施の形態１における入退室システムの処理を説明するためのフローチャートである。
【００２９】
ステップＳ１では、入退室システムの電源が投入されると、入退室管理システムは、処理を開始する。まず、指定時間経過確認処理がなされる。具体的には、ステップＳ２で、認証判定部６ｂは、指定時間が経過したか否かを判定する。
【００３０】
指定時間が経過していない場合は、ステップＳ３に進む。ステップＳ３では、ＲＦＩＤタグ１の検出処理がなされる。具体的には、ステップＳ４で、認証判定部６ｂは、読み取り部３のタグ検出範囲９内にＲＦＩＤタグ１があるか否かを判定する。
【００３１】
読み取り部３のタグ検出範囲９内にＲＦＩＤタグ１がない場合は、ステップＳ１からの処理が繰り返される。読み取り部３のタグ検出範囲９内にＲＦＩＤタグ１がある場合は、ステップＳ５に進む。ステップＳ５では、滞在確認がなされる。具体的には、ステップＳ６で、認証判定部６ｂは、同一のＲＦＩＤタグ１が読み取り部３のタグ検出範囲９内に滞在中か否かを判定する。
【００３２】
同一のＲＦＩＤタグ１が読み取り部３のタグ検出範囲９内に滞在中でない場合は、ステップＳ７に進む。ステップＳ７では、事前認証処理がなされる。具体的には、ステップＳ８で、認証判定部６ｂは、ＲＦＩＤタグ１が事前認証されたか否かを判定する。
【００３３】
ステップＳ８でＲＦＩＤタグ１が事前認証されなかった場合は、ステップＳ９に進む。ステップＳ９では、登録されていないＲＦＩＤタグ１や通行権限のないＲＦＩＤタグ１に合わせ、認証されなかった場合の確定時間が一時記憶部６ａに一時的に記憶される。その後、ステップＳ１からの処理が繰り返される。
【００３４】
ステップＳ８でＲＦＩＤタグ１が事前認証された場合は、ステップＳ１０に進む。ステップＳ１０では、当該ＲＦＩＤタグ１に対し、個人毎確定時間記録部５ａに記録された確定時間が一時記憶部６ａに一時的に記憶される。その後、ステップＳ１１で、認証判定部６ｂは、当該ＲＦＩＤタグ１に対応した確定時間が０か否かを判定する。
【００３５】
当該ＲＦＩＤタグ１に対応した確定時間が０でない場合は、ステップＳ１からの処理が繰り返される。
【００３６】
ステップＳ６で同一のＲＦＩＤタグ１がタグ検出範囲９内に滞在中の場合は、ステップＳ１２に進む。ステップＳ１２では、認証判定部６ｂは、当該ＲＦＩＤタグ１に対応した確定時間を確認する。その後、ステップＳ１３で、認証判定部６ｂは、当該ＲＦＩＤタグ１を検出してから当該ＲＦＩＤタグ１に対応した確定時間が経過したか否かを判定する。
【００３７】
当該ＲＦＩＤタグ１を検出してから当該ＲＦＩＤタグ１に対応した確定時間が経過していない場合は、ステップＳ１からの処理が繰り返される。
【００３８】
ステップＳ１１で当該ＲＦＩＤタグ１に対応した確定時間が０の場合やステップＳ１３で当該ＲＦＩＤタグ１を検出してから当該ＲＦＩＤタグ１に対応した確定時間が経過したした場合は、ステップＳ１４に進む。ステップＳ１４では、認証判定部６ｂは、表示部４に認証結果を通知する。当該通知に基づいて、表示部４は、認証結果を表示する。
【００３９】
その後、ステップＳ１５に進み、確定時間算出部６ｃは、通行頻度と確定時間とを更新する。その結果、当該ＲＦＩＤに対応した通行頻度の値は、１だけ増える。当該ＲＦＩＤに対応した確定時間は、０．１秒だけ減る。その後、ステップＳ１からの処理が繰り返される。
【００４０】
ステップＳ２で  指定時間が経過した場合は、ステップＳ１６に進む。ステップＳ１６では、確定時間算出部６ｃは、通行頻度と確定時間とを更新する。その結果、当該ＲＦＩＤに対応した通行頻度の値は、１だけ減る。当該ＲＦＩＤに対応した確定時間は、０．１秒だけ増える。その後、ステップ３以降の処理がなされる。
【００４１】
以上で説明した実施の形態１によれば、ＩＤ毎に異なる確定時間に基づいて、認証がなされる。このため、通行頻度の高い利用者を短時間で認証することができる。その結果、通行頻度の高い利用者の利便性が向上する。
【００４２】
また、利用者が認証された際、確定時間の値が減る。このため、通行頻度の高い利用者ほど、認証にかかる時間を短くすることができる。
【００４３】
また、指定時間認証されなかった利用者の確定時間の値は増える。このため、通行頻度の低い利用者が通過するだけで認証されることを防止できる。
【００４４】
また、利用者が認証された際、通行頻度の値が増える。これに対し、指定時間認証されなかった利用者の通行頻度の値は減る。このため、利用者の各区画の通行頻度を調べることにより、利用者の行動パターンを把握することができる。
【００４５】
なお、ＲＦＩＤタグ１のボタン２の操作に対応した情報をＲＦＩＤ読み取り部３が読み取った場合は、入室の意思があると判定すればよい。この場合、確定時間が経過することなく、最終的な認証を行うことができる。
【産業上の利用可能性】
【００４６】
以上のように、この発明に係る入退室システムは、通行頻度の高い利用者の利便性を向上するシステムに利用できる。
【符号の説明】
【００４７】
１  ＲＦＩＤタグ、  ２  ボタン、  ３  ＲＦＩＤ読み取り部、  ４  表示部、
５  ＲＦＩＤ登録情報記憶部、  ５ａ  個人毎確定時間記録部、
５ｂ  個人毎通行頻度記録部、  ６  ＲＦＩＤ認証部、  ６ａ  一時記憶部、
６ｂ  認証判定部、  ６ｃ  確定時間算出部、  ７  部屋、  ８  第１区画、
９  タグ検出範囲
【図１】
2014006752.tif 000003
【図２】
2014006752.tif 000004
【図３】
2014006752.tif 000005
【図４】
2014006752.tif 000006
【手続補正書】
【提出日】平成26年11月27日(2014.11.27)
【手続補正１】
【補正対象書類名】図面
【補正対象項目名】図３
【補正方法】変更
【補正の内容】
【図３】
2014006752.tif 000007
【手続補正２】
【補正対象書類名】図面
【補正対象項目名】図４
【補正方法】変更
【補正の内容】
【図４】
2014006752.tif 000008
【国際調査報告】
2014006752.tif 000009
2014006752.tif 000010